(57)【要約】【課題】抽出飲料に好みの香りのフレーバーを効果的に、かつ他の臭いと混ざり合うことなく付加することができる、簡易な構造の飲料抽出用パウチを提供する。【解決手段】表裏一対の積層フィルムの周辺をシールしてシール部が形成されて密封されたパウチ１０であって、飲料抽出原料２０を収納するための第一収納部４と、フレーバー材料３１が収納される第二収納部５が設けられ、第一収納部は、第二収納部よりも上辺１１側にあり、第一収納部と第二収納部は第一区画壁９で区画され、第二収納部と底辺のシール部の間に第二区画壁６が設けられ、第一区画壁および第二区画壁は少なくともその一部が液体透過可能であり、上辺のシール部近傍に上部易開封線１５が設けられ、底辺のシール部近傍に底部易開封線１６が設けられ、上部易開封線は、切り裂くことによりパウチとともに第一収納部も開封される位置に設けられている。【選択図】図１
2019005467.tif 000002
【特許請求の範囲】
【請求項１】
表裏一対の積層フィルムの上辺、左右の側辺、底辺をめぐる周辺をシールしてシール部が形成されて密封されたパウチであって、飲料抽出原料を収納するための第一収納部と、フレーバー材料が収納される第二収納部が設けられ、前記第一収納部は、前記第二収納部よりも上辺側にあり、前記第一収納部と前記第二収納部は第一区画壁で区画され、前記第二収納部と底辺のシール部の間に第二区画壁が設けられ、前記第一区画壁および前記第二区画壁は少なくともその一部が液体透過可能であり、上辺のシール部近傍に上辺に平行にパウチを切り裂いて開封するための上部易開封線が設けられ、底辺のシール部近傍に底辺に平行にパウチを切り裂いて開封するための底部易開封線が設けられ、前記上部易開封線は、切り裂くことによりパウチとともに前記第一収納部も開封される位置に設けられていることを特徴とする飲料抽出用パウチ。
【請求項２】
前記第一収納部が、液体透過性の材料からなる袋で構成され、前記袋が前記第一区画壁をなすことを特徴とする請求項１に記載の飲料抽出用パウチ。
【請求項３】
前記第二区画壁の液体透過可能である部位が、開口部と、該開口部を覆う液体透過性材料を有することを特徴とする請求項１または２のいずれかに記載の飲料抽出用パウチ。
【請求項４】
前記底部易開封線と交差する切り欠きまたは穴が、底辺のシール部の左右の両側辺近傍にそれぞれ設けられていることを特徴とする請求項１から３のいずれかに記載の飲料抽出用パウチ。
【請求項５】
請求項１から４のいずれかに記載の飲料抽出用パウチの前記第一収納部に飲料抽出原料が封入され、前記第二収納部にフレーバー材料が収納されてなることを特徴とする飲料抽出原料包装体。
【請求項６】
前記フレーバー材料が、液体透過性材料からなる小袋に収納されて前記第二区画壁の液体透過可能な部位に装着されてなることを特徴とする請求項５に記載の飲料抽出原料包装体。
【発明の詳細な説明】
【技術分野】
【０００１】
本発明は、コーヒー、茶などの飲料抽出原料を収納すると共に、抽出具としても使用できるパウチに関し、特に飲料を抽出する際に飲料に好みのフレーバーを付加できる簡易な構造の飲料抽出用パウチに関する。
【背景技術】
【０００２】
レギュラーコーヒーや茶葉など、飲料を抽出するための原料を１回分の量だけ袋などの容器に封入し、その容器に湯を注ぐことによりカップ等にコーヒーやお茶の抽出液を得るようにした形態の飲料抽出原料袋が消費者に好評であり、種々の形態のものが市販に供され広く利用されている。この種の容器には、一般に、メッシュシートや不織布、紙などのフィルター材が抽出用に用いられ、また通常、内容物の酸化や吸湿を防止するために外袋で個包装される。特に、コーヒー等には風味の保存が強く要求されることから、外袋にはガスバリア性の高いシート材料が用いられる。
【０００３】
特許文献１には、ガゼット形の底面にフィルター付きの排液口が設けられた抽出原料封入袋をガスバリア性シートで形成し、抽出原料を封入し、排液口の周囲を剥離可能にシールし、袋の周縁をシールして密封した抽出原料包装バッグが開示されている。当該バッグの上辺のトップシール部を切り裂いて開口し、排液口のシールを剥離してバッグをカップ等の容器に載置し、上辺の開口から湯を注ぐことで抽出原料、例えばレギュラーコーヒーや茶葉などから抽出液であるコーヒーやお茶を得て容器に受けることができるもので、抽出原料の保存と抽出を一つのバッグで行うことができ利便性が高いとしている。
【０００４】
種々の抽出飲料を容易に個別に抽出できるようになった結果、さらに個々人の好みに合わせて様々なフレーバーを飲料に付加して楽しみたいという要望が出てきている。従来、レギュラーコーヒーや茶葉などの抽出飲料にフレーバーを付加する方法として、例えば特許文献２には、抽出原料を収納するバッグに活性炭を含有せしめ、活性炭に香りの成分を吸着させ、この香りの成分が温度６０℃以上の湯を注ぐことで放出され、抽出飲料にフレーバーをあらためて付加することができる嗜好性飲料用バッグが開示されている。
【０００５】
特許文献２では、香りの成分は飲料抽出原料が本来持っている成分について記載しているが、それに限らず、任意の好みの香り成分であっても適用できることは容易に想定できる。しかしながら、活性炭にフレーバーを吸着させる方法においては、以下の様な問題点がある。すなわち、活性炭は元来、様々な成分を吸着しやすい性質であるため、好みの香りのフレーバーを吸着し得ると共に、その他の様々なにおいや揮発成分を吸着してしまうことがある。例えば、フィルターの不織布や紙の臭い、フィルムのプラスチック臭や接着剤臭などである。この結果、様々な香り、臭いが混ざり合って目的の好みの香りやレギュラーコーヒーやお茶自体の香りが相対的に弱められてしまうのみならず、混ざり合ったことにより不快な臭いとなってしまうことがある。
【先行技術文献】
【特許文献】
【０００６】
【特許文献１】特開２００３−２１９９６８号公報
【特許文献２】特開平４−３４１１６５号公報
【発明の概要】
【発明が解決しようとする課題】
【０００７】
本発明は、上記のような従来技術の問題点を解消するためになされたもので、飲料抽出
原料を１回分の量だけパウチ形状の袋に封入し、その袋に湯を注ぐことによりカップ等の容器に抽出した飲料を得られるようにした形態の飲料抽出用パウチであって、抽出した飲料に好みの香りのフレーバーを効果的に、かつ他の臭いと混ざり合うことなく付加することができる、簡易な構造の飲料抽出用パウチを提供することを課題とする。
【課題を解決するための手段】
【０００８】
上記課題を解決するため、本発明の請求項１に係る発明は、
表裏一対の積層フィルムの上辺、左右の側辺、底辺をめぐる周辺をシールしてシール部が形成されて密封されたパウチであって、飲料抽出原料を収納するための第一収納部と、フレーバー材料が収納される第二収納部が設けられ、前記第一収納部は、前記第二収納部よりも上辺側にあり、前記第一収納部と前記第二収納部は第一区画壁で区画され、前記第二収納部と底辺のシール部の間に、第二区画壁が設けられ、前記第一区画壁および前記第二区画壁は少なくともその一部が液体透過可能であり、上辺のシール部近傍に上辺に平行にパウチを切り裂いて開封するための上部易開封線が設けられ、底辺のシール部近傍に底辺に平行にパウチを切り裂いて開封するための底部易開封線が設けられ、前記上部易開封線は、切り裂くことによりパウチとともに前記第一収納部も開封される位置に設けられていることを特徴とする飲料抽出用パウチである。
【０００９】
また請求項２の発明は、
前記第一収納部が、液体透過性の材料からなる袋で構成され、前記袋が前記第一区画壁をなすことを特徴とする請求項１に記載の飲料抽出用パウチである。
【００１０】
また請求項３の発明は、
前記第二区画壁の液体透過可能である部位が、開口部と、該開口部を覆う液体透過性材料を有することを特徴とする請求項１または２のいずれかに記載の飲料抽出用パウチである。
【００１１】
また請求項４の発明は、
前記底部易開封線と交差する切り欠きまたは穴が、底辺のシール部の左右の両側辺近傍にそれぞれ設けられていることを特徴とする請求項１から３のいずれかに記載の飲料抽出用パウチである。
【００１２】
また請求項５の発明は、
請求項１から４のいずれかに記載の飲料抽出用パウチの前記第一収納部に飲料抽出原料が封入され、前記第二収納部にフレーバー材料が収納されてなることを特徴とする飲料抽出原料包装体である。
【００１３】
また請求項６の発明は、
前記フレーバー材料が、液体透過性材料からなる小袋に収納されて前記第二区画壁の液体透過可能な部位に装着されてなることを特徴とする請求項５に記載の飲料抽出原料包装体である。
【発明の効果】
【００１４】
本発明の請求項１の発明によれば、表裏一対の積層フィルムを貼り合わせたパウチに、飲料抽出原料を収納するための第一収納部と、フレーバー材料が収納される第二収納部が設けられ、第一収納部と第二収納部を区画する第一区画壁と、第二収納部と底辺の間に第二区画壁を、それぞれ挟み込んで周辺をシールした単純な構造で、少なくともその一部が液体透過性の第一区画壁と第二区画壁が設けられていることにより、第一収納部には例えばレギュラーコーヒー、茶葉などの飲料抽出原料を収納でき、第二収納部には好みの香りのフレーバー材料、例えば果実やナッツ類などのフレーバー粉末、ドライフルーツ片、ミ
ントやレモングラスなどのハーブ類を乾燥させたものなどを収納でき、上部易開封線と底部易開封線を切り裂いてパウチを開封し、カップ等の容器に載置して、上辺側の開口部から第一収納部に湯を注ぐことにより、第一収納部に収納された飲料抽出原料から飲料を注出し、抽出された飲料が第一区画壁の液体透過可能な部位を通過して第二収納部に至り、第二収納部に収納されたフレーバー材料が抽出された飲料に浸されることで好みの香りのフレーバーが抽出された飲料に付加され、第二区画壁の液体透過可能な部位を通って底辺側の開口部からカップ等の容器に飲料が流下して収納されることで、好みの香りのフレーバーが付加された飲料を得るようにすることができる飲料抽出用パウチが得られる。また飲料抽出原料とフレーバー材料は実際にパウチが開封されて湯が注入されるまで分離されており、他の香りなどと混ざって不快な臭いとなってしまうことがない飲料抽出用パウチが得られる。
【００１５】
また請求項２の発明によれば、前記第一収納部が液体透過性の材料、例えば不織布、織物、メッシュシート、紙などからなる袋で構成されることにより、レギュラーコーヒー粉や茶葉などの飲料抽出原料を袋に収納した形で表裏の積層体フィルムと共にシールすることでパウチに封入でき、また前記袋は同時に第一区画壁をなすことができ、より容易に本発明の飲料抽出用パウチを得ることができる。
【００１６】
また請求項３の発明によれば、第二区画壁の液体透過可能な部位が、開口部と該開口部を覆う液体透過性材料を有することにより、第二収納部に収納するフレーバー材料が粉末のような微細な形態のものであっても、液体透過可能な部位から零れてしまうことがなく、良好に第二収納部に保持でき、より好ましい飲料抽出用パウチが得られる。
【００１７】
また請求項４の発明によれば、設けられた切り欠きまたは穴が、底部易開封線を切り裂いてパウチの底辺側を開口したとき、底部易開封線と交差しているために底辺のシール部の左右の両側辺近傍にそれぞれ凹部が形成され、カップ等に載置する際にカップ等の縁に当該凹部を嵌め込むことにより、カップ等に載置したパウチがズレ落ちてしまう虞が少なく、より安定して載置できる飲料抽出用パウチが得られる。
【００１８】
また請求項５の発明によれば、請求項１から３のいずれかに記載の飲料抽出用パウチの、第一収納部に例えばレギュラーコーヒー、茶葉などのほか任意の飲料抽出原料が封入され、第二収納部に例えば果実やナッツ類などのフレーバー粉末、ドライフルーツ片、ミントやレモングラスなどのハーブ類を乾燥させたものなど好みの香りのフレーバー材料が収納され、上部易開封線と底部易開封線を切り裂いてパウチを開封し、カップ等の容器に載置して、上辺側の開口部から第一収納部に湯を注ぐことにより、第一収納部に収納された飲料抽出原料から飲料を注出し、抽出された飲料が第一区画壁の液体透過可能な部位を通過して第二収納部に至り、第二収納部に収納されたフレーバー材料が抽出された飲料に浸されることで好みの香りのフレーバーが抽出された飲料に付加され、第二区画壁の液体透過可能である部位を通って底辺側の開口部からカップ等の容器に飲料が流下して収納されることで、好みの香りのフレーバーが付加された飲料を得ることができる飲料抽出原料包装体が得られる。
【００１９】
また請求項６の発明によれば、フレーバー材料を液体透過性材料からなる小袋に収納して第二区画壁の液体透過可能な部位に装着することにより、第一収納部で抽出された飲料が第二収納部から第二区画壁の液体透過可能な部位を通過して流下する際にフレーバー材料がより確実に抽出された飲料に浸され、好みの香りのフレーバーをより強く、確実に抽出された飲料に付加することができる飲料抽出原料包装体が得られる。
【図面の簡単な説明】
【００２０】
【図１】本発明の飲料抽出用パウチに内容物を収納した状態の側面透視図である。
【図２】本発明の飲料抽出用パウチの分解斜視図である。
【図３】本発明の飲料抽出原料包装体から飲料を抽出する手順の説明図である。
【図４】本発明の飲料抽出原料包装体から飲料を抽出する手順の説明図である。
【図５】本発明の飲料抽出原料包装体から飲料を抽出するためカップに載置した状態の斜視図である。
【図６】本発明の別の実施形態の飲料抽出用パウチに内容物を収納した状態の側面透視図である。
【図７】本発明の別の実施形態の飲料抽出用パウチに内容物を収納する工程の概要の説明図である。
【図８】本発明の別の実施形態の飲料抽出原料包装体から飲料を抽出するためカップに載置した状態の斜視図である。
【図９】本発明の飲料抽出用パウチの区分壁の構成を例示する模式図である。
【発明を実施するための形態】
【００２１】
以下、本発明の実施の形態を詳細に説明する。なお本発明は以下の実施形態に限定して解釈されるものではない。
【００２２】
図１は、本発明の一実施形態の飲料抽出用パウチ（以下、単にパウチということがある）１０に内容物を収納した状態の側面透視図である。また図２は飲料抽出用パウチ１０の分解斜視図である。
表裏一対の積層フィルム２、３の上辺１１、左右の側辺１３、１４、底辺１２をめぐる周辺が網掛けしたような形状にシールされてシール部が形成されて密封されている。また上辺１１と上辺１１に隣接する側辺１３、１４の部位に液体透過性材料によって構成された袋状の第一収納部４が挟み込まれ、表裏の積層フィルムと共にシールされ密封されている。内部が第一収納部４となっている袋９はまた、袋９の内外を区画して第一区画壁９を構成している。なお第一収納部４は、密封される前は図２に示すように一辺が開口部９１となっていて飲料抽出原料２０を挿入することができるようになっている。飲料抽出原料２０の例としては、湯を注ぐことにより飲料を抽出できるものであって、例えばレギュラーコーヒー粉、インスタントコーヒー粉、紅茶、緑茶、ウーロン茶などの茶葉などが挙げられるが、これらに限られるものではない。
【００２３】
第一区画壁９である袋９の下端よりも下方と底辺１２の間に、図２に示したように、上方に凸に折り畳まれたプラスチックシート７が挟み込まれ、パウチの厚み方向に展開可能となるような形状に表裏の積層フィルム２、３とシールされて、第二区画壁６を形成していると共に、第一区画壁である袋９の下端から第二区画壁６の間に第二収納部５が形成されている。なおプラスチックシート７同士ではシールされていない。プラスチックシート７の下端は底辺１２に達しておらず、底辺１２の近傍では表裏の積層シート２、３が直接貼り合わされている。同様に左右の側端は側辺１３、１４に達しておらず、側辺近傍では表裏の積層シート２、３が直接貼り合わされている。また本実施形態では、プラスチックシート７の一部に開口部８が設けられ、開口部８には、不織布で構成されて内部にフレーバー材料３１が収納された小袋３０が、開口部８を覆うように装着される。フレーバー材料３１としては、オレンジなどの果実やウォールナッツなどのナッツ類などのフレーバー粉末や、ドライフルーツ片、ミントやレモングラスなどのハーブ類を乾燥させたものなど、公知のフレーバー材料を適宜使用することができ、特に湯を加えると香りが引き立つものが好適に用いることができる。
【００２４】
上辺１１のシール部の下方には、上辺１１に平行にパウチ１０を切り裂いて開封するための上部易開封線１５が設けられている。上部易開封線１５は、切り裂くことによりパウチ１０を開封すると共に、袋９も切り裂いて開封する位置に設けられている。また底辺１２に平行にパウチ１０を切り裂いて開封するための底部易開封線１６が設けられ、底部易開封線１６は、プラスチックシート７も切り裂く位置に設けられているため、切り裂くことにより底辺側が開口し、パウチ１０を開封する。上部易開封線１５、底部易開封線１６はいずれも公知の加工方法、例えばハーフカット加工、レーザー照射加工、キズ加工などにより、表裏の積層フィルム２、３の表面または内層に弱め線を設けることで設けることができる。なお図示していないが、上部易開封線１５、底部易開封線１６が側辺１３、１４に達する位置の一方または両方に、切り裂き位置を明示すると共に、切り裂きやすくするための切り込みやノッチを設けても良い。
【００２５】
底辺１２のシール部の左右の両側辺１３、１４の近傍には、底部易開封線１６と交差する穴１７が、それぞれ設けられている。底部易開封線１６を切り裂くことにより、下端側が開いた凹部の形状となる。穴１７を設けることにより、凹部となった穴１７が、後述するように、カップ等の容器に載置される際に、カップ等の縁に嵌まり込んでパウチ１０を固定し、パウチ１０がカップ等からズレ落ち難くなるため、より好ましい。なお穴１７は、底辺側が延長されて底辺１２に達して、切り欠き状となっていても良い。その場合は、底部易開封線１６は切り欠き状の穴１７で挟まれる内側部分のみに設けられても良い。
【００２６】
図３および図４は、上記に説明した本発明の一実施形態の飲料抽出用パウチ１０に飲料抽出原料２０とフレーバー材料３１を封入した飲料抽出原料包装体１から飲料を抽出する手順の説明図である。
【００２７】
図３（ａ）は、飲料抽出用パウチ１０の第一収納部４に飲料抽出原料２０、ここではレギュラーコーヒー粉２０が封入され、第二収納部５には不織布製の小袋３０に収納したフレーバー材料３１、例えばオレンジフレーバー３１が封入されている。飲料を抽出するため、まず底部易開封線１６の部分でパウチ１０を切り裂く。
【００２８】
次いで図３（ｂ）は、底部易開封線１６の部分でパウチ１０を切り裂いた状態を示しており、切り裂くことにより底辺近傍の表裏の積層体が直接貼り合わされている部分が取り去られ、プラスチックシート７自体は互いに貼り合わされていないため、底辺側は開封されると共に、パウチ１０を厚み方向に広げることにより、上に凸に二つ折りされていた第二区画壁６を船底状に展開することができる様になり、第二区画壁６の開口部８に小袋３０が乗った状態となる。またこのとき穴１７も切り裂かれ、底辺側に向いた凹部となる。
【００２９】
続いて図３（ｃ）は、底辺側が開封された飲料抽出原料包装体１をカップ４０の縁に載置した状態である。底辺側は展開されて厚みがあるため穴１７が切り裂かれることにより形成された凹部が無くとも載置することはできるが、凹部があることにより、この部分をカップ４０の縁に嵌め込むことにより、ずれる虞が少なく、より安定した状態でカップ４０に載置することができる。
【００３０】
次いで図４（ｄ）は、上部易開封線１５の部分でパウチ１０を切り裂いた状態を示している。切り裂くことにより上辺近傍は上辺に略平行に取り去られ、上部は上部開口１８となる。図５は、図４（ｄ）の状態の斜視図であり、飲料抽出原料包装体１は図示するように展開されてカップ４０に載置され、上部開口１８が形成され、第二区画壁６は図示するように船底状に展開され、小袋３０が装着された状態となる。
【００３１】
この結果、パウチ１０は上部開口１８から液体透過性の袋９で区画された第一収納部４、第二収納部５、第二区画壁６の開口部８を通過して開封された底辺まで、液体が透過可能な状態となる。このような状態となった飲料抽出原料包装体１に、図４（ｅ）に示すように、湯５０を上部開口１８からレギュラーコーヒー粉２０に注ぐことにより、コーヒー液５１が抽出され、液体透過性材料からなる袋状の第一収納部４を透過して流下し、第二収納部５に溜まり、小袋３０に収納されたオレンジフレーバー３１の香りを取り込んだコーヒー液５３となってカップ４０に流下する。所定の量の湯５０を注ぐことで抽出が終了する。
【００３２】
図６は、本発明の別の実施形態の飲料抽出用パウチ１００の側面透視図であり、また図７は飲料抽出用パウチ１００の分解斜視図である。
本実施形態においては、第一区画壁９である袋９と第一収納部４は前述の実施形態と同様の構成であるが、第二区画壁１１０を構成するシート１１２は上端縁１１１で表裏の積層フィルム１０２、１０３とシール部１０１において両側辺に亘ってそれぞれシールされると共に、シート１１２同士ではシールされておらず、上部が開口した態様の浅い袋状となってパウチ１００に吊下された状態となっており、第一収納部４と第二区画壁１１０の間に第二収納部１０４が形成される。フレーバー材料１２０は、浅い袋状をなす第二区画壁１１０に収納される。第二区画壁１１０は少なくともその底部１１３において液体透過性である。また前述の実施形態と同様に上部易開封線１１５および底部易開封線１１６が設けられており、底部易開封線１１６と交差する穴１１７が設けられている。
【００３３】
本実施形態の飲料抽出用パウチ１００においても、前述の実施形態と同様に、積層体フィルム１０２、１０３を貼り合わせてパウチを密封する前に、図７に示すように第一収納部４に飲料の飲料抽出原料２０を収納し、第二収納部１０４にフレーバー材料１２０を収納して、飲料抽出原料包装体とすることができる。
【００３４】
図８は、飲料抽出原料２０としてレギュラーコーヒー粉２０を、フレーバー材料１２０としてナッツフレーバー粉１２０を封入して得られた飲料抽出原料包装体１４０を、前述の実施形態と同様の手順で開封し、カップ４０に載置した状態を示す斜視図である。上辺側には上部開口１３０が形成され、湯を注ぐことができる。湯が注がれるとレギュラーコーヒー粉２０からコーヒー液が抽出され、液体透過性の第一収納部４を透過して第二収納部１０４に流下し、第二区画壁１１０の開口した上部を通過して底部１１３に溜まり、収納されたナッツフレーバー１２０の香りを取り込んだコーヒー液となって底辺側開口１５０からカップ４０に流下する。
【００３５】
図９は、第一区画壁および第二区画壁を液体不透過性の材料で構成したとき、第一区画壁および第二区画壁に設ける液体透過可能な部位の形状の例を示した図である。
図９（ａ）は区画壁の中央に図２の示した例と同様の開口８を設け、開口８を覆う液体透過性の部材６０、例えば不織布、織物、紙、メッシュシートなどで覆った形状である。第一収納部に収納する飲料抽出原料、あるいは第二収納部に収納するフレーバー材料が粉末などの場合に好適である。図９（ｂ）は微細な小孔６１を多数設けた例であり、粉末状の飲料抽出原料やフレーバー材料を袋に収納したものを収納する場合や、ハーブの乾燥葉など、比較的大きな形状のフレーバー材料をそのまま収納するのに好適である。図９（ｃ）は細いスリット状開口６２を設けた例で、図９（ｂ）と同様の飲料抽出原料やフレーバー材料の収納に好適である。上記に例示した実施形態においては、第一区画壁９は袋の形態の例を示したが、図９に例示したような隔壁状のものも適用可能である。
【００３６】
以下に、本発明の飲料抽出用パウチを構成する各部材についてさらに具体的に説明する。
【００３７】
＜積層フィルム＞
本発明の飲料抽出用パウチに適用される積層フィルムは、少なくとも基材層とシーラント層を有する構成であり、それ以外に適宜フィルム等を積層して構成することができる。基材層は、たとえばポリオレフィン（ポリエチレン、ポリプロピレン等）、ポリエステル（ポリエチレンテレフタレート、ポリブチレンテレフタレート、ポリエチレンナフタレート等）などの公知のプラスチックフィルムから用途に応じて適宜選択して使用できる。またシーラント層は、各種熱可塑性樹脂を使用できるが、例えばポリオレフィン系樹脂であれば、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、無延伸ポリプロピレン樹脂（ＣＰＰ）、プロピレン−エチレンランダム共重合体、プロピレン−エチレンブロック共重合体、プロピレン−αオレフィン共重合体などのポリプロピレン系樹脂等を使用することができる。
【００３８】
＜液体透過性材料＞
本発明の飲料抽出用パウチの第一収納部に適用される液体透過性材料としては、収納する飲料抽出原料の形態に応じて、不織布、織物、目の細かいメッシュシートなどの公知の素材から、適宜選択して用いることができる。あるいはまた、それ自体としては液体透過性のないプラスチックフィルム等の一部に開口部を設け、そこに上記の液体透過性の素材を貼り合わせて液体が透過できる部位を設けるようにしても良い。あるいは、液体透過性のないプラスチックフィルム等に微細孔やスリットを多数設けた構成としても良い。
【００３９】
＜区画壁＞
本発明の飲料抽出用パウチの第一区画壁および第二区画壁（合わせて区画壁という）を構成する材料としては、上記の液体透過性材料と同様のものから、収納される飲料抽出原料およびフレーバー材料の形態に適したものを適宜選択して適用できる。例えば、飲料抽出原料およびフレーバー材料が粉末状のものであれば区画壁自体を不織布、織物、紙などで構成したり、袋状としたり、開口部を設け、そこに液体透過性の素材を貼り合わせて液体が透過できる部位を設けたり、不織布、織物、紙などの小袋に収納して開口部に装着すると、粉末が区画壁から零れることがなく好適であり、ミントやレモングラスなどのハーブ類を乾燥させたものなどのように比較的大きな形状のものであれば、区画壁をプラスチックフィルム等に微細孔やスリットを多数設けた構成として、ハーブ類を小袋に収納せず、直接収納する形態としてもハーブ類が零れ落ちてしまう虞が少ないので、好適に使用できる。
【００４０】
以上説明したように、本発明の飲料抽出用パウチによれば、通常のパウチの貼り合わせの工程とほぼ同等の工程で、飲料抽出原料から抽出される飲料に、好みのフレーバーを容易に付加することができる飲料抽出用パウチ、および飲料抽出原料包装体が得られる。
【符号の説明】
【００４１】
１、１４０・・・飲料抽出原料包装体
２、３、１０２、１０３・・・積層フィルム
４・・・第一収納部
５、１０４・・・第二収納部
６、１１０・・・第二区画壁
７・・・プラスチックフィルム
８・・・開口
９・・・第一区画壁（袋）
１０、１００・・・飲料抽出用パウチ
１１・・・上辺
１２・・・底辺
１３、１４・・・側辺
１５、１１５・・・上部易開封線
１６、１１６・・・底部易開封線
１７、１１７・・・穴
１８、１３０・・・上部開口
２０・・・飲料抽出原料（レギュラーコーヒー粉）
３０・・・小袋
３１、１２０・・・フレーバー材料
４０・・・カップ
６０・・・液体透過性の部材
６１・・・小孔
６２・・・スリット状開口
９１・・・開口部
１０１・・・シール部
１１１・・・上端縁
１１３・・・底部
１５０・・・底辺側開口
【図１】
2019005467.tif 000003
【図２】
2019005467.tif 000004
【図３】
2019005467.tif 000005
【図４】
2019005467.tif 000006
【図５】
2019005467.tif 000007
【図６】
2019005467.tif 000008
【図７】
2019005467.tif 000009
【図８】
2019005467.tif 000010
【図９】
2019005467.tif 000011